(57)【特許請求の範囲】
【請求項１】
厚紙を主材とする長方形の主基板の中央域が略四角形のＣＤ載置部とされ、
該ＣＤ載置部内の主基板長さ方向に位置する対向辺近傍に、ＣＤの外形に略等しい単一円軌跡内に位置する円弧スリットがそれぞれ形成されており、
前記ＣＤ載置部より外側の主基板の外側片が、前記対向辺位置に形成された内折線でＣＤ載置部へ折り重ねられ、更に該内折線より外側の外折線で外側へ折り返されて内折線と外折線との間にＣＤ載置部に重なる縁フラップが形成され、
前記外折線より外側の外側片残部が固定用フラップとされており、
固定用フラップには、前記外折線位置の弦縁と、前記円弧スリットと同心の円弧縁とで囲まれた欠円窓穴が開設されており、
該欠円窓穴の弦縁部分が前記円弧スリットの下側へ差し込まれ、
前記固定用フラップが前記外折線において、ＣＤ載置部に重なるよう折り戻されていることを特徴とするＣＤ収納用パッケージ。
【請求項２】
前記内折線と外側の外折線との間の、ＣＤ載置部に重なる縁フラップの、ＣＤ載置部に折り重ねられた対向面が、ＣＤ載置部に接着されている請求項１記載のＣＤ収納用パッケージ。
【請求項３】
ＣＤ載置部の位置する側の主基板表面に不織布の如き弾褥シートが貼付されている請求項１又は請求項２記載のＣＤ収納用パッケージ。
【発明の詳細な説明】
【０００１】
【発明の属する技術分野】
本発明は、コンパクトディスク（以下ＣＤと略称）を挿脱自在としたＣＤ収納用パッケージに関する。
【０００２】
【従来の技術】
厚紙を折り畳んで形成した簡単な構造のＣＤ収納用パッケージとしては、図１２に示した実開平２−４８５９２号公報に開示されるものとか、図１３に示した実開平４−１１２０８号公報に開示されるものとかが提案されている。
【０００３】
図１２に示すものは、厚紙製の基板ＡのＣＤ載置部位に、帯状ホルダーＢの両端Ｓ，Ｔを接着等の手段で固着し、Ｓ，Ｔ間の長さをＣＤの外径より短寸とし、矢印Ｘ方向へのＣＤの脱出を防止しつつ、ＣＤ即ちコンパクトディスクＥを狭持すると共に、帯状ホルダーＢの中央に形成した耳片ＦをＣＤのスピンドル穴に挿入してＣＤを基板Ａ上に係止し、基板Ａに連続するカバー片ＧでＣＤを覆う構造とされている。
【０００４】
また図１３に示すものは基板Ｈに連設された折り返し片Ｉを基板Ｈ上に折り重ね、両側の折り返し縁Ｊ，Ｋを内折して基板Ｈに接着し、基板Ｈと折り返し片Ｉとの間にＣＤ挿入ポケットＬを形成し、ポケットＬに挿入したＣＤを基板Ｈに連設されたカバー片Ｍで覆う構造とされている。
【０００５】
いずれの構造のものも、パッケージの構造が簡単であるものの、カバー片Ｇ，Ｍが開かれている場合は、ＣＤが矢印Ｙ方向に脱出するのを防止する機能が無く、ＣＤ収納の確実性に欠け、購買意欲をそそる機能性，意匠性を欠く等の問題点を有している。
【０００６】
図１２，図１３に示すごとき簡単な構造のパッケージに代えて複雑な折り畳み構造により、ＣＤ収納の確実性を向上させたパッケージも提案されているが使用する紙料の使用量の増大，成型，折り畳み工程の増加などに起因するコスト増を招く問題がある。
【０００７】
ＣＤ収納用パッケージは、ＣＤの確実な収納，保護という機能上の特性のほかに、ＣＤの装脱の容易性も重要な特性の一つであるが、前記複雑な折り畳み構造のパッケージは、ＣＤの装脱に手間がかかるという問題も有している。
【０００８】
【発明が解決しょうとする課題】
本発明は、平型板材料製で折り畳みを可能とする構成で主基板の中央部分をＣＤ載置部とし、該載置部に隣接し対向辺位置に折り曲げ形成された各壁面と該壁面に配設された固定フラップ等によりＣＤが確実に固定される形状のもので、ブランクの切断，折り曲げ，折り畳み等の加工が容易であり加工工数が少なくてすみ、ＣＤの保持と保護とが確実でかつ取り出しが、簡便なＣＤ収納用パッケージを提供することを課題としている。
【０００９】
【課題を解決するための手段】
請求項１の発明では厚紙を主材とする長方形の主基板の中央域が略四角形のＣＤ載置部とされ、該ＣＤ載置部内の主基板の長さ方向に位置する対向辺近傍に、ＣＤの外形に略等しい単一円軌跡内に位置する円孤スリットがそれぞれ形成されている。
【００１０】
前記ＣＤ載置部より外側の主基板の外側片が、前記対向辺位置に形成された内折線でＣＤ載置部へ折り重ねられ、さらに該内折線より外側の外折線で外側へ折り返されて、内折線と外折線との間にＣＤ載置部に重なる縁フラップが形成されている。
【００１１】
前記外折線より外側の外側片残部が固定用フラップとされ、固定用フラップには、前記外折線位置の弦縁と、前記円弧スリットと同心の円弧縁とで囲まれた欠円窓穴が開設されている。
【００１２】
該欠円窓穴の弦縁部分が前記円弧スリットの下側へ差し込まれ、前記固定用フラップが前記外折線においてＣＤ載置部に重なるよう折り戻されているという構成とした。
【００１３】
請求項２の発明では、前記内折線と外側の外折線との間に、ＣＤ載置部に重なる縁フラップの主基板面に折り重ねられた対向面が接着されている請求項１記載のＣＤ収納用パッケージの構成とした。
【００１４】
請求項３の発明では、ＣＤ載置部の位置する側の主基板表面に不織布の如き弾褥シートが貼布されている請求項１又は請求項２記載のＣＤ収納用パッケージの構成とした。
【００１５】
【発明の実施の形態】
図１ないし図１１は、請求項１ないし請求項３の発明を併せ適用した実施例を示すもので、図３に示されるように厚紙を主材とする長方形の主基板１に、弾縟シートの一例たる不織布２を貼着した構成材料で形成されている。この不織布２は、図５において、ＣＤ載置部３の中央部にのみ、省略して図示されている。
【００１６】
主基板１の中央域が略四角形のＣＤ載置部３とされ、該載置部３内の主基板１の長さ方向に位置する対向辺たる長辺４，５よりにＣＤの外形に略等しい単一円軌跡内に位置する円弧スリット６，７が形成されている。円弧スリット６，７の両端の切込み６Ａ，７Ａは、後述する弦縁スリット１６，１７を円弧スリット６，７の下側へ挿入しやすくするための切込みである。
【００１７】
前記ＣＤ載置部３より外側の外側片２５，２６が、前記長辺４，５から延設され、さらに長辺４，５に形成された内折線４Ａ，５Ａで、ＣＤ載置部３へ折り重ねられ、該内折線４Ａ，５Ａより外側の２段の外折線１０，１１で外側へ折り返されて、内折線４Ａ，５Ａと外折線１０，１１の間にＣＤ載置部３に重なる縁フラップ８，９が形成されている。
【００１８】
縁フラップ８，９の外側において２段の外折線１０，１１の外側に延設された外側辺２５，２６の残部が固定用フラップ１２，１３とされており、前記外折線１０，１１の間には、図７に示すＣＤ３Ａの厚さ＋壁面の厚さに略相当する適切な間隔が設けられることにより、前記固定用フラップ１２，１３がＣＤ３Ａの上面に折り返されるとき盛り上がる事なく平坦にＣＤ３Ａの上側を被覆する。
【００１９】
固定用フラップ１２，１３には、前記円弧スリット６，７と同心の円弧縁１４，１５と前記長辺４，５に平行で、外折線１１と同一位相を占める弦縁１６，１７とにより、囲まれた欠円窓穴１８，１９が開設されている。
【００２０】
前記主基板１は、前記内折線４Ａ，５Ａにおいて、縁フラップ８，９が主基板１の弾褥シートの一例たる不織布２の面に重なるよう折り返され、次いで２段の外折線１０，１１により、固定用フラップ１２，１３が外側方へ折り返され、この時欠円窓穴１８，１９の弦縁１６，１７が円弧スリット６，７の下へ差し込まれ図４および図５に示される形態とされ、更に図１，図２に示す折り畳まれた形となり、ＣＤ３Ａの装入にそなえるＣＤパッケージ２２とされる。
【００２１】
ＣＤ３ＡがＣＤパッケージ２２に装入される時には図４の状態としたうえで、ＣＤ３Ａが円弧スリット６，７で囲まれ主基板１の中央に載置され、次いで固定用フラップ１２，１３がＣＤ表面に重なるように折り返され、図７に示される状態で収納，包装される。
【００２２】
請求項２の発明を適用した第２の実施例は、図３，図４および図５に示される如く、主基板１の長辺４，５に延設された外側片２５，２６に形成された内折線４Ａ，５Ａと前記外折線１０，１１の間に形成された主基板１に重なる形状の縁フラップ８，９と該フラップ８，９が折り重ねられる主基板１の対向面とが接着剤等により接着された構成とされたものである。
【００２３】
前述のごとく請求項２の第２の実施例のものでは、前記縁フラップ８，９と折り重ねられた主基板１とにより、板材の厚みが２倍となり、紙質による剛性および破断強度も倍加されるので、ＣＤ３Ａの収納，保持に対しては確実に保持力を増すことができる。
【００２４】
図８に示される第３の実施例のものは前述の第１および第２の実施例に示された主基板１の長辺４，５間の側縁の外側に内折線２４を介してカバー２３が延設され、該カバー２３の外側には外折線２５を介してカバー２６が設けられている。
【００２５】
前記カバー２３は、内折線２４により主基板１に向かって内側に折り曲げられＣＤ載置部３に折り重ねられた固定フラップ１２，１３の合わせ面上に折り畳まれ、さらにカバー２３の外折線２５の外側に延設されたカバー２６は外折線２５によりＣＤ載置部３の裏面にまで折り畳まれる形状とされたもので、図８に示すＣＤパッケージ２２の外側をカバー２３，２６により保護した形とされ、ＣＤの保護が一層確実なものとなり、カバー２３，２６の構造が簡単であるから、ＣＤの取り出しも容易とされる構造としたものであるが、前記カバー２３，２６は、ＣＤパッケージのＣＤ載置部３の裏面に貼着した構造でもよい。
【００２６】
図９に示す第４の実施例のものは、主基板１の長辺間の外側に延設されたカバー２７が前記内折線２４によって主基板１に向かって内側へ折り返され、ＣＤ載置部３の固定フラップ１２，１３の表面に折り重ねられる構造のもので、ＣＤパッケージ２２の保護を確実にしたものとし、かつ取り出しも簡便な構造としたものである。
【００２７】
図１０は、第５の実施例を示すもので、複数のＣＤパッケージ２２を収容可能とするジャケット本体２８が、必要な程度の剛性を有する厚紙又はプラスチックシートで形成されている。
【００２８】
ＣＤパッケージ２２を挿脱するケース開口部２９には、前記本体２８の開口辺より延設された蓋３０が折曲線によりケース開口部２９に向かって折り込まれることによりケース開口部２７に係止される形状とされ、かつ蓋３０の開閉操作により該開口部２７は開閉自在とされる。
【００２９】
ＣＤパッケージ２２は、前記ジャケット本体２８に収納されることによりＣＤの保持が確実となり、またジャケット本体２８が板材より加工されたもので構造が簡単であるから経済性にも富み、かつ前記蓋３０がケース開口部２９に対して開閉自在とされているからＣＤパッケージ２２の取り出し，収容が便利な構造である。
【００３０】
図１１は、第６の実施例を示すもので、複数のＣＤパッケージ２２を収容可能とするジャケット３１は、必要なある程度の剛性を有する厚紙あるいはプラスチック等の平型板材を折り曲げ加工し接着剤等により、形成されたものでＣＤパッケージ２２の収容部３２とこれに対向する上蓋３３との一対の薄型のケース形状とされている。
【００３１】
前記収容部３２の長辺の折り曲げ線３４より延設された上蓋３３は、折り曲げ線３４をヒンジとして上蓋３３と収容部３２との両者が互いに開閉自在とされ、かつ重ね合わせれば折り畳み可能な薄型のＣＤケースとなり、前記ＣＤパッケージ２２のケースとして剛性を有することになり、ＣＤの保護にも十分な効果があるとともに、ＣＤパッケージ２２の取り出し，収容が便利な構造としたものである。
【００３２】
前記上蓋３３が収容部３２との見開きの関係位置とされているから、上蓋３３の内側に仮想線で示すポケット３５を配設し曲目のタイトル等必要事項並びに小冊子も収容し得る形状とすれば、収容部３２に収容されたＣＤパッケージ２２の対象資料として利便性が加えられる。
【００３３】
【発明の効果】
請求項１および請求項３の発明によると、長方形の主基板の中央域をＣＤ載置部とし、隣接する対向壁面をＣＤ被覆用の固定フラップとし、該フラップにＣＤ切片に対応する形状の欠円窓穴が配設され、かつＣＤ切片の装入部分が二段折り込みによつて形成された縁フラップにより挿入が容易とされ、かつ折り返し縁の二重構造と、フラップの重なり部分とにより、ＣＤを上下左右方向に拘束できる構造であるからＣＤの保持が確実である効果がある。
【００３４】
ＣＤ載置部を基板とし、隣接する対向壁面をＣＤを保持する固定フラップとし、厚紙を主材とした前述の各壁面を主要な構成部分とするものであり、或いは板材に弾褥シートが貼布された平型板材料によるものであるから構造が簡単であって紙料使用量が少なく製造コストを低くすることが可能であるという効果がある。
【００３５】
構造が簡単であるから、厚紙等による板材のブランクの形状も簡単でありブランクの切断，折り曲げ，折り畳み、或いはＣＤの装入等が機械的に容易に実施でき、作業効率の向上が可能とされ、経済的効果が期待できる。
【００３６】
請求項２の発明によると、前記内折線と外折線との間において、前記縁フラップと主基板面との、折り重ねられた対向面が互いに接着された形状でＣＤ載置部に向かって折り曲げられたものであるから、ＣＤの挿着部分は縁フラップと折り重ねられた主基板とにより板材の厚みが２倍となり、紙質による剛性および破断強度も倍加されるので、ＣＤの周縁の収納に対しては通常の板厚のものより確実に保持力の向上が期待できる効果を奏しめるものである。
【図面の簡単な説明】
【図１】請求項１ないし請求項３の発明を併せ適用した実施の一例の表面を示す組み立て図である。
【図２】図１に示すものの裏面図である。
【図３】図１に示すものの折り曲げ加工前のブランクの展開図である。
【図４】図１に示すもののブランクの組み立て途中を示す平面図である。
【図５】図４に示すものの右側面図である。
【図６】図４に示すものの裏面図である。
【図７】図１に示すもののＣＤの収納状態を示す平面図である
【図８】図１に示すものの使用の一例を示す平面図である。
【図９】図１に示すものの別の使用の一例を示す平面図である。
【図１０】図１に示すものの包装の一例を示す斜面図である。
【図１１】図１に示すものの別の包装例を示す斜面図である。
【図１２】従来のＣＤケースの第１の例を示す斜面図である。
【図１３】従来のＣＤケースの第２の例を示す斜面図である。
【符号の説明】
１  主基板
２  弾褥シートの一例たる不織布
３  ＣＤ載置部
４Ａ，５Ａ  内折線
６，７  円弧スリット
８，９  縁フラップ
１０，１１  外折線
１２，１３  固定用フラップ
１４，１５  円孤縁
１６，１７  弦縁
１８，１９  欠円窓穴
２５，２６  外側片
【図１】
0003724756.tif 000002
【図２】
0003724756.tif 000003
【図３】
0003724756.tif 000004
【図４】
0003724756.tif 000005
【図５】
0003724756.tif 000006
【図６】
0003724756.tif 000007
【図７】
0003724756.tif 000008
【図８】
0003724756.tif 000009
【図９】
0003724756.tif 000010
【図１０】
0003724756.tif 000011
【図１１】
0003724756.tif 000012
【図１２】
0003724756.tif 000013
【図１３】
0003724756.tif 000014